(57)【要約】【課題】１枚の帳票から文字と印影の色の複数の処理用画像を取得する帳票イメージ処理方法において、帳票の１回の読み取りにより、複数の処理用画像を取得し、各々をホストに転送する。【解決手段】帳票をカラー読み取りするイメージリーダ（１）と、帳票のカラー画像データを取得し、カラー画像データから上位ＡＰＬ（３１）の要求する帳票の複数の画像データを生成する処理装置（２）とを設ける。帳票を１回読み取るだけで、文字と印影との処理目的に合った複数の画像データを、文字が先で、印影が後の順で取得でき、高速な読み取り処理が可能となる。文字画像から文字認識して、ホストに文字と印影画像を同時に転送できる。又、イメージリーダに複数の光源を必要としないため、イメージリーダを小型に且つ安価に構成できる。【選択図】  図１
2006309781.tif 000002
【特許請求の範囲】
【請求項１】
文字と印影を有する帳票を読み取り、ホストに転送する帳票イメージ処理方法において、
上位アプリケーションから、前記帳票の文字の色と印影の色を示す複数の単一色の画像データと、前記複数の単一色の画像データの読み取り順とを指示するステップと、
前記指示に応じて、前記帳票の帳票イメージを１回読み取り、カラー画像データを生成し、前記カラー画像データから前記指示された複数の単一色の画像データを生成するステップと、
前記生成された単一色の画像データを前記上位アプリケーションに、前記読み取り順である文字の色が先で、印影の色が後の順で転送するステップと、
前記上位アプリケーションは、前記先に受け取った前記文字の色の画像データを、文字認識部で認識させ、文字認識結果を得るステップと、
前記文字認識結果と前記印影画像をホストに転送するステップを有することを
特徴とする帳票イメージ処理方法。
【請求項２】
文字と印影を有する帳票を読み取り、ホストに転送する帳票イメージ処理装置において、
帳票イメージを１回読み取り、カラー画像データを生成するイメージリーダと、
前記カラー画像データから複数の種類の画像データを生成し、上位アプリケーションの指定した複数の種類の画像データを前記上位アプリケーションに転送する処理装置とを有し、
前記処理装置は、
前記上位アプリケーションからの、前記帳票の文字の色と印影の色を示す複数の単一色の画像データと、前記複数の単一色の画像データの読み取り順との指示に応じて、前記カラー画像データから前記指示された複数の単一色の画像データを生成し、前記生成された単一色の画像データを前記上位アプリケーションに、前記読み取り順である文字の色が先で、印影の色が後の順で転送し、
且つ前記上位アプリケーションは、前記先に受け取った前記文字の色の画像データを、文字認識部で認識させ、文字認識結果を得て、前記文字認識結果と前記印影画像をホストに転送することを
特徴とする帳票イメージ処理装置。
【発明の詳細な説明】
【技術分野】
【０００１】
本発明は、金融機関等において、帳票を自動処理するため、帳票のイメージを処理する帳票イメージ処理方法及びその装置に関し、特に、帳票の画像から処理目的に応じた複数の画像を取得するための帳票イメージ処理方法及びその装置に関する。
【背景技術】
【０００２】
金融機関、郵便局等において、新規預金、預金引出し、振込み等の帳票の自動処理が文字認識技術により可能となってきた。このような帳票の自動処理のため、同一の帳票の画像から処理目的に応じた複数の画像を必要とする場合がある。
【０００３】
例えば、文字認識用帳票は、記入枠が赤系の色でプレプリントされており、依頼者は、記入枠内に必要事項を手書き又は活字で記入する。文字認識する場合には、この赤い記入枠をドロップアウトさせて、文字部分のみを抽出して、文字認識を行う。一方、新規預金や預金引出し等に使用される文字認識用帳票では、印影が押されている。一般的に、印影は赤色系であり、記入枠と同系色となる。このため、押されている印影を読み取るには、文字認識画像と反対に、赤色系をドロップアウトさせない方法で印影の画像を生成する必要がある。
【０００４】
この同一の帳票から２つの画像を生成するため、従来、読み取り対象の帳票を、目的に応じて複数回読ませる方法が知られていた。
【０００５】
例えば、帳票搬送型イメージリーダを使用する場合には、１回目は、文字認識用の帳票イメージデータを取得するため、赤色光源（又は赤色フィルタ）を照射して、赤系の記入枠をドロップアウトして、帳票を読み取る。上位のアプリケーションが、この帳票イメージデータを文字認識処理した後、同一帳票を再度搬送して、印影のイメージを読み取る。
【０００６】
この時、印影の赤色をドロップアウトしないように、光源を白色又は緑色として、帳票を読み取り、印影の赤色がドロップアウトしない印影イメージが取得できる。この際、記入枠も赤色のため、イメージとして取得されるが、印影の処理時に、印影イメージのみを切り出すため、問題にならない。
【０００７】
又、フラットベッド型イメージリーダを使用する場合には、帳票を原稿台に搭載した後、文字認識用イメージを取得する場合には、赤色光源を照射し、帳票を光走査し、読み取る。そして、印影イメージを取得する場合には、白色光源又は緑色光源を照射し、帳票を光走査して、読み取る。このようにして、１つの帳票から、処理目的に応じた複数の画像データを取得していた（例えば、特許文献１，２）。
【特許文献１】特開平５−２７４４７３号公報
【特許文献２】特開平８−２１２２９４号公報
【発明の開示】
【発明が解決しようとする課題】
【０００８】
しかしながら、従来技術では、上位のアプリケーションが必要とする複数の画像を得るためには、読み取り対象帳票を複数回読み取る操作が必要であり、読み取り操作はメカニカルなため、処理時間が長くなる。特に、金融窓口のように、多数の依頼者の処理を行う場合には、依頼者を待たせることになる。
【０００９】
イメージリーダとして、複数色の光源を必要とするため、イメージリーダ自体が大型となり、しかもコストダウンが難しい。特に、金融窓口に設置するには、大きな設置スペースが必要となる。又、上位アプリケーションの制御により、指定の光源を点灯する制御が必要であり、イメージリーダを低価格にすることは難しい。
【００１０】
オペレータは、複数回読み取りの間、帳票を管理する必要があり、連続的な処理が困難である。
【００１１】
従って、本発明の目的は、１回の読み取りで、１枚の帳票から複数の種類の画像データを取得するための帳票イメージ処理方法及びその装置を提供するにある。
【００１２】
本発明の他の目的は、簡易な構成のイメージリーダを用いて、１回の読み取りで、複数の種類の画像データを取得するための帳票イメージ処理方法及びその装置を提供するにある。
【００１３】
本発明の更に他の目的は、オペレータの帳票の読み取り操作を簡易化し、１枚の帳票から複数の種類の画像データを取得するための帳票イメージ処理方法及びその装置を提供するにある。
【課題を解決するための手段】
【００１４】
この目的の達成のため、本発明の帳票イメージ処理方法は、文字と印影を有する帳票を読み取り、ホストに転送する帳票イメージ処理方法において、上位アプリケーションから、前記帳票の文字の色と印影の色を示す複数の単一色の画像データと、前記複数の単一色の画像データの読み取り順とを指示するステップと、前記指示に応じて、前記帳票の帳票イメージを１回読み取り、カラー画像データを生成し、前記カラー画像データから前記指示された複数の単一色の画像データを生成するステップと、前記生成された単一色の画像データを前記上位アプリケーションに、前記読み取り順である文字の色が先で、印影の色が後の順で転送するステップと、前記上位アプリケーションは、前記先に受け取った前記文字の色の画像データを、文字認識部で認識させ、文字認識結果を得るステップと、前記文字認識結果と前記印影画像をホストに転送するステップを有する。
【００１５】
本発明は、帳票をカラー読み取りすることにより、帳票のカラー画像データを取得し、カラー画像データから上位の要求する帳票の複数の画像データを生成するようにした。このため、帳票を１回読み取るだけで、処理目的に合った複数の画像データを取得でき、高速な読み取り処理が可能となる。又、イメージリーダに複数の光源を必要としないため、イメージリーダを小型に且つ安価に構成できる。更に、１回読み取りのため、オペレータは、帳票をリーダにセットし、読み取りの完了により、帳票を取り出せるため、帳票の取り扱いが容易となる。
【００１６】
又、画像データ生成ステップは、前記カラー画像データから前記上位の指定した画像種類に対応する複数の単一色の画像データを生成するステップであることにより、上位の指定した画像データを生成するため、無駄な画像データの生成を防止でき、より高速に必要な画像データを取得できる。
【発明の効果】
【００１７】
以上説明したように、本発明によれば、帳票をカラー読み取りすることにより、帳票のカラー画像データを取得し、カラー画像データから上位の要求する帳票の複数の画像データを生成するようにしたため、帳票を１回読み取るだけで、画像と印影との処理目的に合った複数の画像データを取得でき、高速な読み取り処理が可能となり、且つ先に文字色の画像データを受けるため、文字認識部で、文字認識した結果とそれに関連する印影を、ホストに同時に転送できる。
【発明を実施するための最良の形態】
【００１８】
以下、本発明を、帳票イメージ処理装置、帳票イメージ処理、他の実施の形態に分けて、説明する。
【００１９】
［帳票認識装置］
図１は、本発明の一実施の形態の帳票イメージ処理装置のブロック図、図２は、図１のイメージリーダの外観図、図３は、図１の画像処理機構のブロック図、図４は、図３の画像生成部のブロック図、図５は、図３の生成画像メモリの説明図である。
【００２０】
図１に示すように、イメージ処理装置は、イメージリーダ１と処理装置２とからなる。イメージリーダ１は、図２に示すように、読み取るべき帳票４をセットするベット（帳票台座）１０と、ベット１０の帳票のイメージを読み取るオーバーヘッド１５とを有する。図１に示すように、オーバーヘッド１５には、２次元カラーＣＣＤ（Charge Coupled Device)１１が設けられている。読み取り回路１２は、カラーＣＣＤ１１の読み取り動作を制御する。増幅回路１３は、カラーＣＣＤ１１の読み取り出力を増幅する。Ａ／Ｄ（アナログ／デジタル）変換器１４は、増幅されたアナログ読み取り信号をデジタル信号に変換する。このイメージリーダ１は、カラー読み取りが出来、且つ非接触である。又、２次元センサを用いているため、読み取り速度も速い。尚、図２では、通番印字器１６が、オプションとして設けられている。
【００２１】
処理装置２は、デスクトップ型パーソナルコンピュータで構成され、ホストコンピュータに接続されている。処理装置２は、データ処理ユニット（ＣＰＵ）２０と、画像メモリ２２と、画像処理機構２１と、表示装置と、ファイルとを有する。データ処理ユニット２０は、ＣＰＵ，メモリ等で構成され、帳票イメージ処理を実行する。ＣＰＵ２０内に、ＣＰＵ２０が実行するソフトウェアを、ブロック３０〜３２で示す。上位アプリケーション３１は、帳票処理プログラムである。制御部３０は、上位アプリケーション３１の要求した画像処理を行うため、イメージリーダ１、画像処理機構２１を制御する。ＯＣＲエンジン３２は、上位アプリケーション３１により起動され、文字認識処理を行う。
【００２２】
図３乃至図５を用いて、画像処理機構２１を説明する。図３に示すように、カラーＣＣＤ１１からＲＧＢデータが出力され、画像メモリ２２で、１画面（帳票）のＲＧＢデータが保持される。画像処理機構２１は、画像メモリ２２のＲＧＢデータから各々Ｙ画像、Ｒ画像、Ｇ画像、Ｂ画像を生成する。
【００２３】
図４に示すように、カラーＣＣＤ１１は、通常ＣＣＤ上に、各々ＲＧＢのフィルタ（オンチップフィルタ）を被せたものであり、市松構造をなしている。そのＲＧＢフィルタを経由して取得した画像が、ＲＧＢ画像として、ＣＣＤ１１から出力される。レッドフィルタＲは、ピーク波長が６５０ｎｍ，グリーンフィルタＧは、ピーク波長が５４０ｎｍ、ブルーフィルタＢは、ピーク波長が４７０ｎｍの帯域でフィルタリングを行い、カラー画像として、ＲＧＢで構成される。
【００２４】
図３に戻り、画像処理機構２１の画像生成部５０は、ＣＣＤ１１から出力されるＲＧＢデータから、各々Ｙ画像（多値）、Ｒ画像（多値）、Ｇ画像（多値）、Ｂ画像（多値）を生成する。この画像生成部５０は、図４に示すように、画像抽出部５５と、Ｙ画像生成部５６，５７とを有する。
【００２５】
画像抽出部５５は、市松模様のＣＣＤの配列構造から、カラーＣＣＤ１１の出力ＲＧＢからＲ，Ｇ，Ｂの各画像（多値）を抽出して、単独プレーンの画像Ｒ，Ｇ，Ｂを生成する。
【００２６】
Ｒ画像は、レッドフィルタＲを経由しており、赤色系をドロップアウトする特徴がある。例えば、赤系の色で記入枠がプレプリントされているＯＣＲ帳票では、赤記入枠が除去され、黒記入文字等の赤以外の色のみがＲ画像として生成される。
【００２７】
Ｇ画像は、グリーンフィルタＧを経由しており、グリーン系色をドロップアウトする特徴がある。ドロップアウトする能力は低い。例えば、印影の朱肉は、赤色で押印されているため、印影を読み取る確実な方法として、Ｇ画像を使用する場合が多い。
【００２８】
Ｂ画像は、ブルーフィルタＢを経由しており、ブルー系色をドロップアウトする特徴がある。単独で利用するよりは、カラー画像ＲＧＢのＢプレーンとして利用される。
【００２９】
次に、Ｙ画像生成部５６，５７を説明する。Ｙ画像は、モノクロ画像と称されている。各ＲＧＢ画像がそれぞれ固有のフィルタを経由して読まれた画像であるため、特定の色成分をドロップアウトしているのに対し、Ｙ画像は、各色の成分をそのまま出力する。このＹ画像は、ＲＧＢ画像から生成できる。即ち、以下の比率計算式により、ＲＧＢからＹを生成する。
【００３０】
Ｙ＝０．２９９×Ｒ＋０．５８７×Ｇ＋０．１１４×Ｂ
上記式から、明らかなように、Ｇプレーン画像の比率が高いのは、Ｇプレーン内に色成分が多く含まれるためである。このように、各ＲＧＢを個々に分離し、結合することにより、モノクロ画像を生成できる。ブロック５６は、このための乗算器であり、ブロック５７は、加算器である。
【００３１】
図３に戻り、２値化処理部５１は、多値のＹ，Ｒ，Ｇ画像を２値化し、Ｙ，Ｒ，Ｇ画像（２値化）を生成する。前述のＹ，Ｒ，Ｇ画像は、２５６階調を保有した多値イメージデータで構成されている。文字認識や印鑑照合等のコンピュータで認識、照合処理する場合は、性能等を考慮する必要があり、２値化処理部５１は、２５６階調の多値イメージデータを「０又は１」の２値化イメージデータに変換する。
【００３２】
図５に示すように、このような生成画像は、メモリ５２の指定プレーンに格納される。更に、上位の要求した処理に最適な画像を通知するため、画像テーブル５３が設けられている。画像テーブル５３は、上位の要求（例えば、文字認識画像２値）に対し、最適な画像（例えば、Ｒ画像（２値））を対応させるテーブルである。
【００３３】
このような構成により、１回の帳票のカラー読み取りにより、上位の処理に適した複数の帳票イメージ画像を生成し、上位の利用に供することができる。
【００３４】
このため、読み取り、画像取得時間を短縮でき、且つイメージリーダを小型に且つ安価に構成できる。しかも、オペレータの帳票の処理の手間も軽減できる。
【００３５】
［帳票イメージ処理］
図６は、上位アプリケーションからの読み取り依頼の制御データ構造の説明図、図７は、イメージリーダからの通知画像のフォーマット図、図８は、本発明の一実施の形態の帳票イメージ処理フロー図、図９乃至図１１は、帳票画像例の説明図である。
【００３６】
図８に沿い、帳票イメージ処理を説明する。
【００３７】
（Ｓ１００）上位アプリケーション３１は、図６のフォーマットで制御部３０に読み取りを指示する。図６に示すように、制御フォーマットは、読み取り指示と、要求画像で構成されている。読み取り指示には、順序読みモードの指定が「Ｘ」を「１」とすることにより可能である。即ち、１枚の帳票に対し、複数の画像要求を、この制御コマンドにより指定できる。「Ｘ」を「０」に設定すると、順序読みモードを指定せず、単一の画像要求となる。要求画像は、文字認識画像２値、印影画像２値のように指定される。勿論、この読み取り指示は、イメージリーダ１のベッド１０に原稿を搭載した後である。
【００３８】
（Ｓ１１０）制御部３０は、イメージリーダ１の読み取り回路１２にカラーＣＣＤ１１の読み取りを指示する。これにより、カラーＣＣＤ１１は、読み取りを開始し、アンプ１３、Ａ／Ｄ変換器１４を介しＲＧＢデータを出力する。
【００３９】
（Ｓ１２０）このＲＧＢデータは、画像メモリ２２に格納される。これにより、読み取りは終了し、オペレータは、帳票を取り外すことができる。
【００４０】
（Ｓ１３０）この格納後、制御部３０の指示により、画像処理部２１は、上位の要求した画像を生成する前述の画像処理を行う。これにより、メモリ５２に各画像が格納される。
【００４１】
（Ｓ１４０）制御部３０は、上位の要求画像を画像テーブル５３により、生成画像単位に変換し、メモリ５２のその画像を上位アプリケーション３１に通知する。図７は、その通知フォーマットであり、各画像イメージデータは、ファイルセパレータ（区切りコード）で分離される。
【００４２】
ＯＣＲ帳票の具体例により説明する。図９は、ＯＣＲ帳票の一例としての振込み依頼書４である。記入文字の周囲は、赤色枠４０で囲われている。又、押印４１は、ご依頼人の右側個所の「検印欄」になされている。ここでの印影は、システム処理する上で、銀行支店の担当者の検印である。押印４１も赤色である。
【００４３】
上位アプリケーション３１は、この帳票を処理するため、帳票の記入文字は、文字認識エンジン３２で文字認識し、押印４１は、このイメージを切り出し、ホストへ転送する。このため、上位アプリケーション３１は、図６に示すように、読み取り指示に順序読みモードを指定し、要求画像に、１回目は、文字認識画像２値を、２回目は、印影画像２値を指定する。
【００４４】
制御部３０は、要求「文字認識画像２値」に対し、２値化処理部５１で２値化されたＲ画像（２値）を上位に転送する。このＲ画像（２値）は、赤色系をドロップアウトするので、ＯＣＲ帳票の記入枠等の赤色系を落し、黒文字のみが残る。このため、文字認識画像として、最適な画像である。前述の図９の振込み依頼書４のＲ画像（２値）は、図１０に示すようになり、文字認識の記入枠４０が全てドロップアウトされ、且つ押印４１もドロップアウトされている。
【００４５】
続いて、「印影画像２値」の画像要求に対し、２値化処理部５１で２値化されたＧ画像（２値）を上位に転送する。このＧ画像（２値）は、印影朱肉の赤色系を最も感度良く画像として表現する特徴を持つ。このため、印影画像として、最適な画像である。前述の図９の振込み依頼書４のＧ画像（２値）は、図１１に示すようになり、印影４１が明確に画像として現れている。勿論、この時は、赤色系を画像出力するため、文字認識の記入枠４０等も画像に残る。上位３１は、Ｇ画像から、印影領域を切り出し、ホストへ転送する。ホストでは、この印影画像により、検印の確認を行う。
【００４６】
このように、帳票をカラーイメージで読み取り、カラー画像データから上位の要求する帳票の複数の画像データを生成するようにした。このため、帳票を１回読み取るだけで、処理目的に合った複数の画像データを取得でき、高速な読み取り処理が可能となる。又、イメージリーダに複数の光源を必要としないため、イメージリーダを小型に且つ安価に構成できる。更に、１回読み取りのため、オペレータは、帳票をリーダにセットし、読み取りの完了により、帳票を取り出せるため、帳票の取り扱いが容易となる。
【００４７】
［他の実施の形態］
上述の実施の態様の他に、本発明は、次のような変形が可能である。
【００４８】
（１）振込み依頼書を例に説明したが、預金引出し、新規預金等の他のＯＣＲ帳票に適用できる。更に、ＯＣＲ帳票に限らず、他の画像処理用帳票に適用できる。
【００４９】
（２）カラー読み取り素子を、ＣＣＤで説明したが、ＣＭＯＳセンサ等他の読み取り素子を利用できる。
【００５０】
以上、本発明を実施の形態により説明したが、本発明の主旨の範囲内で種々の変形が可能であり、これらを本発明の範囲から排除するものではない。
【００５１】
（付記１）帳票イメージを読み取り、カラー画像データを生成するステップと、前記カラー画像データから複数の種類の画像データを生成するステップと、上位の指定した複数の種類の画像データを前記上位に転送するステップとを有することを特徴とする帳票イメージ処理方法。
【００５２】
（付記２）付記１の帳票イメージ処理方法において、前記画像データ生成ステップは、前記カラー画像データから複数の単一色の画像データを生成するステップからなることを特徴とする帳票イメージ処理方法。
【００５３】
（付記３）付記１の帳票イメージ処理方法において、前記画像データ生成ステップは、前記カラー画像データから前記上位の指定した画像種類に対応する複数の単一色の画像データを生成するステップであることを
特徴とする帳票イメージ処理方法。
【００５４】
（付記４）付記１の帳票イメージ処理方法において、前記画像データ生成ステップは、前記カラー画像データから特定色をドロップアウトした複数の画像データを生成するステップであることを特徴とする帳票イメージ処理方法。
【００５５】
（付記５）前記上位の指定した画像処理に適する画像データを転送することを特徴とする付記１の帳票イメージ処理方法。
【００５６】
（付記６）帳票イメージを読み取り、カラー画像データを生成するイメージリーダと、前記カラー画像データから複数の種類の画像データを生成し、上位の指定した複数の種類の画像データを前記上位に転送する処理装置とを有することを特徴とする帳票イメージ処理装置。
【００５７】
（付記７）前記イメージリーダが、２次元センサを備えるオーバヘッドリーダであることを特徴とする付記６の帳票イメージ処理装置。
【００５８】
（付記８）付記６の帳票イメージ処理装置において、前記処理装置は、前記カラー画像データから複数の単一色の画像データを生成することを特徴とする帳票イメージ処理装置。
【００５９】
（付記９）付記６の帳票イメージ処理装置において、前記処理装置は、前記カラー画像データから前記上位の指定した画像種類に対応する複数の単一色の画像データを生成することを特徴とする帳票イメージ処理装置。
【００６０】
（付記１０）付記６の帳票イメージ処理装置において、前記処理装置は、前記カラー画像データから特定色をドロップアウトした複数の画像データを生成することを特徴とする帳票イメージ処理装置。
【００６１】
（付記１１）前記上位の指定した画像処理に適する画像データを転送することを特徴とする付記６の帳票イメージ処理装置。
【産業上の利用可能性】
【００６２】
以上説明したように、帳票をカラー読み取りすることにより、帳票のカラー画像データを取得し、カラー画像データから上位ＡＰＬの要求する帳票の複数の画像データを生成するようにしたため、帳票を１回読み取るだけで、画像と印影との処理目的に合った複数の画像データを取得でき、高速な読み取り処理が可能となり、且つ先に文字色の画像データを受けるため、文字認識部で、文字認識した結果とそれに関連する印影を、ホストに同時に転送できる。又、イメージリーダに複数の光源を必要としないため、イメージリーダを小型に且つ安価に構成できる。更に、１回読み取りのため、オペレータは、帳票をリーダにセットし、読み取りの完了により、帳票を取り出せるため、帳票の取り扱いが容易となる。
【図面の簡単な説明】
【００６３】
【図１】本発明の一実施の形態の帳票イメージ処理装置のブロック図である。
【図２】図１のイメージリーダの外観図である。
【図３】図１の画像処理機構のブロック図である。
【図４】図３の画像生成部のブロック図である。
【図５】図１の画像処理機構のメモリの説明図である。
【図６】本発明の一実施の形態の読み取り指示の制御フォーマット図である。
【図７】本発明の一実施の形態の画像転送フォーマット図である。
【図８】本発明の一実施の形態の帳票イメージ処理フロー図である。
【図９】図８の読み取り帳票の説明図である。
【図１０】図９の帳票の文字認識用画像の説明図である。
【図１１】図９の帳票の印影画像の説明図である。
【符号の説明】
【００６４】
１  イメージリーダ
２  処理装置
２０  ＣＰＵ
２１  画像メモリ
２２  画像処理機構
３０  制御部
３１  上位アプリケーション
３２  ＯＣＲエンジン
４  帳票
１１  カラーＣＣＤ
【図１】
2006309781.tif 000003
【図２】
2006309781.tif 000004
【図３】
2006309781.tif 000005
【図４】
2006309781.tif 000006
【図５】
2006309781.tif 000007
【図６】
2006309781.tif 000008
【図７】
2006309781.tif 000009
【図８】
2006309781.tif 000010
【図９】
2006309781.tif 000011
【図１０】
2006309781.tif 000012
【図１１】
2006309781.tif 000013